(57)【要約】【目的】    指先の自由が確保され、しかも抜け落ちる心配がない把持物用ストラップを提供することを目的とする。【構成】    手指に装着する装着時周囲１０センチメートル以下の輪状帯と、前記輪状帯と把持物を結ぶ連結紐部とで構成される。【選択図】      図４
2005169042.tif 000002
【特許請求の範囲】
【請求項１】
手指に装着する装着時周囲１０センチメートル以下の輪状帯と、前記輪状帯と把持物を結ぶ連結紐部とを備えることを特徴とする把持物用ストラップ。
【請求項２】
前記輪状帯を伸縮自在の材料で構成したことを特徴とする特許請求項第１項の把持物用ストラップ。
【請求項３】
前記連結紐部の先端または途中に、予め定めた力以上の力が加わった場合に、連結を解除する手段を設けたことを特徴とする特許請求項第１項の把持物用ストラップ。
【発明の詳細な説明】
【発明の詳細な説明】
【産業上の利用分野】
【０００１】本発明は、歩行を補助するための杖や折り畳み傘、携帯電話などに取り付けられるストラップに関する。
【背景技術】
【０００２】杖や傘、携帯電話などの把持物の把持部には、手首を通す大きな輪状の紐であるストラップが取付けられており、例えば杖では、杖を持つ手を他の目的に使用できるようにしておくため、この輪状紐に手首を通して杖を把持する方法が取られている。
【発明が解決しようとする課題】
【０００３】  しかしながら従来の方法では、手首の出し入れを容易にするため、輪状の径を大きく設けているため、手首を通しても、手先を下にすれば、輪状の紐が手首から抜け落ち杖を落してしまうことが簡単に生じた。このため使用者は例えば商店で商品を手に取る場合や駅で切符を買う場合などでも常に手首から手先に気をつけておらねばならず、精神的な負荷になり他への注意がおろそかになることがあった。また、手首には屈筋をはじめ指先に繋がる多くの筋肉が存在するが、手首に紐をかけることはこの筋肉の動きを拘束することになり、手首から指先の部分に拘束感が発生したり指先の自由度を損ねることになっていた。前記のように手首から輪状の紐が抜けるのを避けるため、輪状紐を手首で絞る方法も提案されているが、手首の部分で前記筋肉をより強く締め付けることになり、指先の自由度は更に損なわれるという課題があった。
【０００４】本発明は、従来のストラップの上記の課題を解決することのできる、把持物用ストラップを提供することを目的とする。
【課題を解決するための手段】
【０００５】  本発明では、手指に装着する輪状帯と前記輪状帯と把持物を結ぶ連結紐部とを備えることにより従来のストラップの上記問題点を解決するものである。
【作用】
【０００６】  請求項１の構成により、例えば小さい輪状帯を杖を把持する手の指に通すことにより、その他の指先の自由が確保され、しかも抜け落ちる心配がない杖用ストラップを提供することができる。
請求項２の構成により、指への装着性が高まるとともに、不意に大きな力が指にかかり指を損傷することを防ぐことが出来る。
請求項３の構成により、ストラップの材料にかかわらず指への損傷を防ぐことができる。
【実施例】
【０００７】  以下に実施例を説明する。図１はストラップの従来例を示す。環状に形成されているストラップ本体。２は杖の柄に巻かれた連結体、３は前記ストラップの連結部に設けられコイル状二重に巻かれた金属線で構成された金属環で、前記連結体２に設けられた穴に通すことにより杖と連結する。前記金属環３とストラップ本体１は、ストラップ本体１に繋がる紐を前記金属環３の中を通すことにより繋がっている。使用者は杖の把持部を握る時には、図２に示すようにストラップ本体１の広く形成された輪の中に手を通して把持部を握ることにより、手を離したときにも杖を容易に落すことを防いでいる。しかしながら、ストラップ本体１の輪は手を通し易くするため、手よりはるかに大きな輪としているため、手を下に向けるとずり落ちることも生じやすい。また、杖の荷重が手首にかかるため、指を曲げるための手首にある屈筋の動きを制限する。このため、杖の荷重が小さい場合では、拘束感となって心理的に手の動きを制限し、荷重が重い場合は指を動きにくくさせる。このため、例えば各種自動販売機で買い物をする場合や、ポケットから財布を取り出すときなど多くの場合で、手首が気になったり、指に拘束感を感じたり、指の動きがぎこちなくなったり、さらには杖を落してしまったりすることも生じる。これらのことにより、ストラップを使用せずに杖を使ったり、上記買い物などの機会には、ストラップから手を抜いて、杖を壁などに立てかけ用を済ますということも生じている。これは杖を持つ手を他の用に使用するときも、杖を体から離さずに行うというストラップ本来の役割が発揮されないことを意味している。
図３は本発明の実施例で、ストラップ本体１は先端に自然周囲長さ１０ｃｍ以下の輪状帯６を持ち、他端では、前記金属環３と結ばれた連結紐部７で構成されている。使用方法は図４に示すように、杖を持つ手の指にストラップの前記輪状帯６をはめて用いる。指にはめることにより、はめた指先には拘束感が生じても、他の指は自由であるため、全体としての拘束感は極めて少なく自由に指を使うことが出来る。はめる指はどの指でも同様の効果が得られる。前記輪状帯６は伸縮性がない材料で構成されても効果は得られるが、ゴム紐など伸縮自在の材料により作られるか、または構造により伸縮自在にすることがより望ましい。伸縮自在とすることで指にはめる時にも輪状帯６が伸びるため簡単に装着できるとともに、指に隙間なく装着することができるため、簡単に抜けることがない。また、輪状帯６に挿入した指が杖に強く引かれた際には、前記輪状帯が伸びることにより指への衝撃を防ぐとともに、挿入した指との間に空隙が生じ、指が抜け易くなる。このため、指に損傷を与えることを防ぐことが出来る。
通常親指の太さは８ｃｍ以下とみられる。伸縮性のない輪状帯では輪状帯の周囲長を、はめる指の周囲長より１ｃｍ以上長くすると入れやすい。しかし２ｃｍ以上長くすると抜けやすくなる。したがって周囲長は１０ｃｍ以下となる。また通常薬指の周囲長は指輪のサイズから約４ｃｍ以上とみられる。したがって手の指にはめる輪状帯の周囲長は４ｃｍ以上１０ｃｍ以下となる。
図５は、予め定めた値以上の力が指にかかったとき、杖と指の連結を解除するための手段を示す。図５（ａ）は前記金属環３を輪状一重にしたもので、
図５（ｂ）に示すように連結体２の穴に通されて杖とストラップ本体をつなぐ。ストラップ本体とは連結紐の先端４を前記金属環３を通して折り返し輪状を形成している。これによりほとんど伸縮しない材料で前記輪状帯６を構成した場合でも、何らかの理由により前記輪状帯６に挿入した指が杖に強く引かれた際にも、前記金属環３は図５（ｃ）に示すように輪が引き伸ばされるために前記連結体２の穴から外れ、指に損傷を与えることを防ぐことが出来る。この金属環３の代わりに予め定めた値以上の力が指にかかったときには切れる細い紐をストラップの先端または途中に設けてもよい。
図６は、本発明の別の実施例を示す。輪状帯６および連結紐７、金属環３に相当する構成部分が合成樹脂で作られており、輪状帯６と連結紐７の部分はコイル状に形成されている。材料である合成樹脂自体の伸縮性はわずかであるが、コイル状に形成することにより、大きな伸縮性を持つことができる。
上記は主に杖について述べてきたが、杖のみならず傘や携帯電話、軽い工具など手で持つ道具に適用しても全く同様の利点がある。
また、上記の例以外に大きな径の輪を作っておき、指を挿入した後これを絞って指の太さに合致した径にして指と把持物をつなげる方法でも良いことは言うまでもない。
【発明の効果】
【０００８】本発明の、手指に装着する装着時周囲１０センチメートル以下の輪状帯と前記輪状帯と杖を結ぶ連結紐部を設けることによって、指先の自由が確保され、しかも抜け落ちる心配がない把持物用ストラップを提供することができるという効果がある。
【図面の簡単な説明】
【０００９】
【図１】ストラップの従来例
【図２】ストラップの従来使用例
【図３】本発明のストラップ実施例
【図４】本発明のストラップ使用例
【図５】本発明のストラップ端実施例
【図６】本発明の別の実施例
【符号の説明】
【００１０】１          ストラップ本体
２          連結体
３          金属環
４          連結紐先端
５          杖の把持部
６          輪状帯
７          連結紐部
【図１】
2005169042.tif 000003
【図２】
2005169042.tif 000004
【図３】
2005169042.tif 000005
【図４】
2005169042.tif 000006
【図５】
2005169042.tif 000007
【図６】
2005169042.tif 000008